(57)【要約】【課題】収納時における筐体内の占有空間を狭くできるロッドアンテナを提供する。【解決手段】ロッドアンテナ（２）は、長手方向に接続した複数のアンテナ部材（２０）・（２１）・（２２）を備える。第１アンテナ部材（２０）は、第２アンテナ部材（２１）および支持部材（２２）よりも細長く、第２アンテナ部材（２１）および支持部材（２２）を収縮側に貫通するようになっている。【選択図】図１
2014187547.tif 000002
【特許請求の範囲】
【請求項１】
伸縮可能な棒状のアンテナであるロッドアンテナにおいて、
互いに電気的に接続し、かつ、前記伸縮方向に移動可能な複数段のアンテナ部材を備えており、
他の前記アンテナ部材よりも細くかつ長いアンテナ部材は、当該アンテナ部材の収縮側に設けられた前記アンテナ部材を収縮側に貫通するようになっていることを特徴とするロッドアンテナ。
【請求項２】
前記細くかつ長いアンテナ部材の収縮側に設けられた前記アンテナ部材を屈曲可能に支持する屈曲部材をさらに備えており、
前記細くかつ長いアンテナ部材は、前記屈曲部材を貫通するようになっていることを特徴とする請求項１に記載のロッドアンテナ。
【請求項３】
請求項１または２に記載のロッドアンテナが筐体に取り付けられたことを特徴とするアンテナ装置。
【請求項４】
前記ロッドアンテナの収縮時に、前記アンテナ部材を収縮側に貫通した前記細くかつ長いアンテナ部材を、筐体内の隅部に案内する案内部材をさらに備えることを特徴とする請求項３に記載のアンテナ装置。
【発明の詳細な説明】
【技術分野】
【０００１】
本発明は、伸縮可能な棒状のアンテナであるロッドアンテナと、該ロッドアンテナが筐体に取り付けられたアンテナ装置とに関するものである。
【背景技術】
【０００２】
一般に、アンテナは、高利得で電波を受信するために、周波数に応じてアンテナ部材の電気長が設定される。
【０００３】
また、ロッドアンテナの破損防止のため、該ロッドアンテナの一部または全部が、上記ロッドアンテナが取り付けられた筐体内に収容可能となっていることが多い。さらに、筐体内にアンテナを収容するために、特許文献１に示されるように、ロッドアンテナを多段化して収納時の長さ（長手方向（伸縮方向）の寸法）を短くしているものもある。この場合、上記ロッドアンテナを収容する空間が上記筐体内に必要となる。
【先行技術文献】
【特許文献】
【０００４】
【特許文献１】特開２００１−１７７３１６号公報（２００１年０６月２９日公開）
【発明の概要】
【発明が解決しようとする課題】
【０００５】
しかしながら、上記ロッドアンテナについて、段数を増加させると、幅（短手方向の寸法）が太くなる。また、段数を増加させずに各段の長さを長くすると、基端側のアンテナ部材は、先端側のアンテナ部材を保持する強度を増加する必要があり、幅を太くする必要がある。その結果、収納時に上記ロッドアンテナが上記筐体内を占有する空間（以下、「占有空間」と称する。）を広くする必要がある。このため、上記占有空間を狭くする工夫が求められている。特に、携帯電話機等の携帯端末では、小型化および高性能化が進むにつれて、上記携帯端末の筐体内の空間を有効利用することが強く求められており、上記占有空間を狭くすることが求められている。
【０００６】
本発明は、上記の問題に鑑みてなされたものであり、その目的は、収納時における筐体内の占有空間を狭くできるロッドアンテナなどを提供することにある。
【課題を解決するための手段】
【０００７】
本発明の一態様に係るロッドアンテナは、伸縮可能な棒状のアンテナであるロッドアンテナにおいて、上記課題を解決するために、互いに電気的に接続し、かつ、前記伸縮方向に移動可能な複数段のアンテナ部材を備えており、他の前記アンテナ部材よりも細くかつ長いアンテナ部材は、当該アンテナ部材の収縮側に設けられた前記アンテナ部材を収縮側に貫通するようになっていることを特徴としている。
【発明の効果】
【０００８】
本発明の一態様によれば、伸長時の長さが同じである従来のロッドアンテナに比べて、他のアンテナ部材よりも細くかつ長いアンテナ部材が存在することにより、上記他のアンテナ部材の長さを短くでき、収納時において上記他のアンテナ部材による占有空間を狭くできるので、筐体内に部品を実装できる空間（実装空間）が広くなる。一方、上記細くかつ長いアンテナ部材は、上記他のアンテナ部材から突出することになるが、上記他のアンテナ部材よりも細いので、収納時において、上記細くかつ長いアンテナ部材の突出した部分による占有空間は狭く、上記実装空間の増大分が維持される。従って、収納時における筐体内の占有空間を従来よりも狭くでき、当該筐体内の実装空間を従来よりも広くできるという効果を奏する。
【図面の簡単な説明】
【０００９】
【図１】本発明の一実施形態である携帯端末に設けられたロッドアンテナの構造を示す断面図である。
【図２】上記携帯端末における上記ロッドアンテナの収納状態を示す図である。
【図３】本発明の別の実施形態である携帯端末に設けられたロッドアンテナの構造を示す断面図である。
【図４】上記ロッドアンテナにおける屈曲部材の構造を示す斜視図および断面図である。
【図５】本発明の他の実施形態である携帯端末におけるロッドアンテナの収納状態を示す図である。
【図６】従来の携帯端末におけるロッドアンテナの収納状態を示す図である。
【発明を実施するための形態】
【００１０】
以下、本発明の実施形態について、図面を参照して説明する。なお、説明の便宜上、各実施形態に示した部材と同一の機能を有する部材については、同一の符号を付し、その説明を繰り返しては行わない。
【００１１】
〔実施形態１〕
本発明の一実施形態について、図１・２・６を参照して説明する。
【００１２】
（ロッドアンテナの構造）
図１は、本実施形態である携帯端末に設けられたロッドアンテナの構造を示す断面図であり、同図の（ａ）は、上記ロッドアンテナが引き出された状態を示しており、同図の（ｂ）は、上記ロッドアンテナが上記携帯端末に収納された状態を示している。
【００１３】
図１に示すように、本実施形態のロッドアンテナ２は、伸縮可能な棒状のアンテナであり、スマートフォン、携帯電話機、ＰＤＡ（Personal Digital Assistant）等の携帯端末１の筐体１０に設置されるものである。ロッドアンテナ２は、第１アンテナ部材２０、第２アンテナ部材２１、および支持部材２２を備える構成である。第１アンテナ部材２０の先端部には、樹脂製のキャップ２３が設けられている。また、支持部材２２は、第１アンテナ部材２０および第２アンテナ部材２１を支持するものであり、携帯端末１における筐体１０の適所に取り付けられている。
【００１４】
第１アンテナ部材２０、第２アンテナ部材２１、および支持部材２２は、導電性の筒状部材である。第１アンテナ部材２０は、第２アンテナ部材２１と電気的に接続し、第２アンテナ部材２１は、支持部材２２と電気的に接続し、支持部材２２は、携帯端末１内の受信回路（図示せず）または通信回路に接続される。
【００１５】
第１アンテナ部材２０は、第２アンテナ部材２１内を長手方向に摺動可能に設けられ、第２アンテナ部材２１は、支持部材２２内を長手方向に摺動可能に設けられている。これにより、ロッドアンテナ２は、伸長時には、図１の（ａ）に示すように、支持部材２２から第２アンテナ部材２１が突出し、第２アンテナ部材２１から第１アンテナ部材２０が突出することになる。
【００１６】
本実施形態では、第１アンテナ部材２０は、第２アンテナ部材２１および支持部材２２を貫通するように、第２アンテナ部材２１および支持部材２２に比べて細長く形成されている。また、第２アンテナ部材２１は、支持部材２２を貫通するように、支持部材２２に比べて細長く形成されている。これにより、ロッドアンテナ２は、収縮時には、図１の（ｂ）に示すように、支持部材２２を第２アンテナ部材２１が貫通し、第２アンテナ部材２１を第１アンテナ部材２０が貫通して、キャップ２３以外の部分が携帯端末１の筐体１０内に収納される。
【００１７】
（ロッドアンテナの携帯端末への収納状態）
図２は、本実施形態の携帯端末１におけるロッドアンテナ２の収納状態を示す図である。同図の（ａ）は、携帯端末１の平面図であり、携帯端末１における筐体１０の上面を切り欠いて示すものである。同図の（ｂ）〜（ｄ）は、それぞれ、同図の（ａ）におけるＡ−Ａ線、Ｂ−Ｂ線、およびＣ−Ｃ線での端面図である。
【００１８】
図６は、従来の携帯端末１００におけるロッドアンテナ２００の収納状態を示す断面図である。同図の（ａ）は、従来の携帯端末１００の平面図であり、携帯端末１００における筐体１０の上面を切り欠いて示すものである。同図の（ｂ）〜（ｄ）は、それぞれ、同図の（ａ）におけるＡ−Ａ線、Ｂ−Ｂ線、およびＣ−Ｃ線での端面図である。
【００１９】
なお、図２の（ａ）および図６の（ａ）において、Ａ−Ａ線は、携帯端末１・１００の筐体１０の背面の位置に対応し、Ｂ−Ｂ線は、従来のロッドアンテナ２００の基端部の位置に対応し、Ｃ−Ｃ線は、本実施形態のロッドアンテナ２における第１アンテナ部材２０の基端部の稍前方の位置に対応している。また、説明の便宜上、図２および図６では、支持部材２２およびキャップ２３は省略している。
【００２０】
従来の携帯端末１００は、本実施形態の携帯端末１に比べて、ロッドアンテナの構造が異なるのみであり、その他の構成は同様である。従来のロッドアンテナ２００は、本実施形態のロッドアンテナ２に比べて、第１アンテナ部材２２０の長さが第２アンテナ部材２２１の長さと同じまたはそれ以下である点が異なり、その他の構成は同様であり、特に、伸長時の長さは同じである。従って、従来のロッドアンテナ２００の収納状態での長さは、第２アンテナ部材２２１の長さであり、本実施形態における第１・第２アンテナ部材２０・２１の長さの和の半分と同程度、或いはそれ以上である。
【００２１】
また、本実施形態の第１アンテナ部材２０は、従来の第１アンテナ部材２２０よりも長くなっており、本実施形態の第２アンテナ部材２１は、従来の第２アンテナ部材２２１よりも短くなっている。また、従来のロッドアンテナ２００では、図６に示すように、第１アンテナ部材２２０が第２アンテナ部材２２１に収容された構造となっている。一方、本実施形態のロッドアンテナ２は、図２に示すように、第１アンテナ部材２０が第２アンテナ部材２１を貫通した構造となっている。
【００２２】
上述のように、本実施形態の第２アンテナ部材２１は、従来の第２アンテナ部材２２１よりも短くなっている。これにより、図２および図６の（ａ）〜（ｃ）に示すように、本実施形態のロッドアンテナ２の占有空間は、従来のロッドアンテナ２００の占有空間に比べて、Ａ−Ａ線から第２アンテナ部材２１の基端部に対応する位置αまでは同じである一方、上記位置αからＢ−Ｂ線までは狭くなっている。
【００２３】
従って、本実施形態の携帯端末１の筐体１０内に部品を実装できる空間（以下、「実装空間」と称する。）１１は、従来の携帯端末１００の筐体１０内の実装空間１１０よりも広くなる。具体的には、図２の（ｃ）に示すように、実装空間１１の左側面（第１アンテナ部材２０の側の面）が、第１アンテナ部材２０付近に広がり、さらに上記左側面の下部が、筐体１０の左側面付近に広がっている。
【００２４】
一方、図２および図６の（ａ）・（ｃ）・（ｄ）に示すように、Ｂ−Ｂ線からＣ−Ｃ線までは、従来のロッドアンテナ２００は、占有空間が無いので、実装空間１１０は、左側面が筐体１０の左側面付近にまで広がることになる。これに対し、本実施形態のロッドアンテナ２は、第１アンテナ部材２０の占有空間が存在するが、当該占有空間が狭く、上述の実装空間１１の増大分が維持される。
【００２５】
従って、本実施形態のロッドアンテナ２は、従来のロッドアンテナ２００に比べて、占有空間が狭くなり、実装空間が広くなる。これにより、実装空間の増大分に部品を配置することが可能になり、筐体１０内の空間を有効利用できる。その結果、携帯端末１の小型化、高性能化等を図ることができる。
【００２６】
例えば、携帯端末１の薄型化を図ることができる。また、筐体１０の底部に配置しているバッテリーパックの容量を増大させることができ、これにより、使用時間の向上を図ることができる。一方、バッテリーパックによって筐体１０の幅の下限値が制限されている場合には、上記実装空間の増大分のサイズダウンを図ることも可能となる。また、上記実装空間の増大分を利用した基板面積の拡大により部品の実装面積が拡大されるので、部品配置の効率化および最適化が可能となる。
【００２７】
〔実施形態２〕
本発明の別の実施形態について、図３・４を参照して説明する。図３は、本実施形態である携帯端末１に設けられたロッドアンテナ３の構造を示す断面図である。
【００２８】
図３に示すロッドアンテナ３は、図１に示すロッドアンテナ２に比べて、第３アンテナ部材３０および屈曲部材３１が追加されている点と、支持部材２２に代えて支持部材３２が設けられている点とが異なり、その他の構成は同じである。
【００２９】
図３に示すように、第３アンテナ部材３０および屈曲部材３１は、第２アンテナ部材２１および支持部材３２の間に設けられている。第３アンテナ部材３０は、導電性の筒状部材であり、第２アンテナ部材２１および屈曲部材３１と電気的に接続している。
【００３０】
屈曲部材３１は、第１アンテナ部材２０、第２アンテナ部材２１、および第３アンテナ部材３０を屈曲可能に支持するものであり、支持部材３２と電気的に接続している。なお、屈曲部材３１は、支持部材３２の中心軸の周りを回動可能であることが望ましい。これにより、アンテナ部材２０・２１・３０を任意の方向に屈曲させることができる。
【００３１】
支持部材３２は、図１に示す支持部材２２に比べて、第３アンテナ部材３０および屈曲部材３１が貫通する分、筒内の空間が広くなっている点が異なり、その他の構成は同じである。
【００３２】
第２アンテナ部材２１は、第３アンテナ部材３０内を長手方向に摺動可能に設けられ、第３アンテナ部材３０および屈曲部材３１は、支持部材３２内を長手方向に摺動可能に設けられている。これにより、ロッドアンテナ３は、伸長時には、図３の（ａ）に示すように、支持部材３２から屈曲部材３１および第３アンテナ部材３０が突出し、第３アンテナ部材３０から第２アンテナ部材２１が突出し、第２アンテナ部材２１から第１アンテナ部材２０が突出することになる。その結果、本実施形態のロッドアンテナ３は、図１に示すロッドアンテナ２よりも長く伸ばすことができる。
【００３３】
本実施形態では、第１アンテナ部材２０は、第２アンテナ部材２１、第３アンテナ部材３０、屈曲部材３１、および支持部材３２を貫通するように、第２アンテナ部材２１、第３アンテナ部材３０、屈曲部材３１、および支持部材３２に比べて細長く形成されている。また、第２アンテナ部材２１は、第３アンテナ部材３０に収容されるように、第３アンテナ部材３０よりも細くかつ短く形成されている。また、第３アンテナ部材３０および屈曲部材３１は、支持部材３２を貫通するように、支持部材３２に比べて細長く形成されている。
【００３４】
図４の（ａ）・（ｂ）は、それぞれ、屈曲部材３１の構造を示す斜視図および断面図である。図示のように、屈曲部材３１は、先端側の可倒部材４０を、基端側の軸支部材４１が軸体４２・４２を介して回動可能に支持する構成である。これにより、ロッドアンテナ３の伸長時には、可倒部材４０から先端側に設けられた第１アンテナ部材２０、第２アンテナ部材２１、および第３アンテナ部材３０を、支持部材３２の軸方向から倒すことができる。
【００３５】
本実施形態では、可倒部材４０および軸支部材４１には、それぞれ、貫通孔４３・４４が設けられている。軸支部材４１の貫通孔４４は、支持部材３２と軸方向が一致している。そして、可倒部材４０の貫通孔４３の軸方向が、支持部材３２の軸方向に一致するように、可倒部材４０を回動させると、可倒部材４０の貫通孔４３が、軸支部材４１の貫通孔４４と連通するようになっている。これにより、第１アンテナ部材２０は、屈曲部材３１を貫通することができる。
【００３６】
これにより、ロッドアンテナ２は、収縮時には、図３の（ｂ）に示すように、支持部材３２を第３アンテナ部材３０および屈曲部材３１が貫通し、第３アンテナ部材３０に第２アンテナ部材２１が収容され、第３アンテナ部材３０および屈曲部材３１を第１アンテナ部材２０が貫通して、キャップ２３以外の部分が携帯端末１の筐体１０内に収納される。
【００３７】
以上のように、携帯端末１の筐体１０から突出するアンテナ部材が３個以上であったり、屈曲部材が設けられたりする構造に対しても、本発明を適用可能であることが理解できる。なお、本実施形態では、第１アンテナ部材２０が第２アンテナ部材２１および第３アンテナ部材３０よりも細長く形成しているが、第２アンテナ部材２１または第３アンテナ部材３０が他のアンテナ部材よりも細長く形成しても、本発明を適用することができる。なお、上記３段式のロッドアンテナ３の説明では、屈曲部材３１を有した例を示しているが、屈曲部材３１を有していない構成であってもよい。また、図１に示す２段式のロッドアンテナ２に屈曲部を設けてもよいことは言うまでもない。
【００３８】
〔実施形態３〕
本発明の他の実施形態について、図５を参照して説明する。図５は、本実施形態である携帯端末１におけるロッドアンテナ２の収納状態を示す図である。同図の（ａ）は、携帯端末１の平面図であり、携帯端末１における筐体１０の一部を切り欠いて示すものである。同図の（ｂ）〜（ｄ）は、それぞれ、同図の（ａ）におけるＡ−Ａ線、Ｂ−Ｂ線、およびＣ−Ｃ線での端面図である。なお、図５のＡ−Ａ線、Ｂ−Ｂ線、およびＣ−Ｃ線の位置と、位置αとは、図２と同様である。
【００３９】
図５に示す携帯端末１は、図２に示す携帯端末１に比べて、第１アンテナ部材２０を、位置αから離れるにつれて携帯端末１の筐体１０内の隅部に案内する案内板１２が追加されている点が異なり、その他の構成は同様である。
【００４０】
この場合、第１アンテナ部材２０は、図５の（ａ）に示すように、収縮時に、案内板１２によって曲げて収容されることになる。また、図５の（ｄ）に示す第１アンテナ部材２０の占有空間は、図２の（ｄ）に示す第１アンテナ部材２０の占有空間に比べて、筐体１０内の隅部に移動している。従って、従来ではデッドスペースとなっていた隅部に第１アンテナ部材２０の配置を実現することにより、占有空間をさらに狭くすることができる。その結果、図５の（ａ）〜（ｄ）に示すように、実装空間１１をさらに広くすることができる。
【００４１】
なお、上記説明では第１アンテナ部材２０を曲げる案内板１２を備えた構成としているが、携帯端末１に既に備わっている構成（例えばバッテリーパック等）の側面を案内板として利用してもよい。
【００４２】
また、上記第２実施形態では、３段式ロッドアンテナ３について、第１アンテナ部材２０が第２アンテナ部材２１および第３アンテナ部材３０を貫通する例を示しているが、第２アンテナ部材２１も第３アンテナ部材３０を貫通する構成としてもよい。すなわち、複数のアンテナ部材が他のアンテナ部材を貫通する構成としてもよい。この場合においても、筐体１０内の占有空間は従来よりも狭くすることができ、実装空間を従来よりも広くすることができる。
【００４３】
また、上記貫通するアンテナ部材の形状は円形であっても薄い板状であっても良い。アンテナ部材が板状の場合にはアンテナ部材が貫通する貫通孔の断面形状を方形にすればよい。
【００４４】
〔まとめ〕
本発明の態様１に係るロッドアンテナは、伸縮可能な棒状のアンテナであるロッドアンテナにおいて、互いに電気的に接続し、かつ、前記伸縮方向に移動可能な複数段のアンテナ部材を備えており、他の前記アンテナ部材よりも細くかつ長いアンテナ部材（第１アンテナ部材２０）は、当該アンテナ部材の収縮側に設けられた前記アンテナ部材（第２アンテナ部材２１、支持部材２２）を収縮側に貫通するようになっている構成である。
【００４５】
上記の構成によれば、伸長時の長さが同じである従来のロッドアンテナに比べて、他のアンテナ部材よりも細くかつ長いアンテナ部材が存在することにより、上記他のアンテナ部材の長さを短くすることができる。これにより、収縮時において、上記他のアンテナ部材による占有空間を、従来よりも狭くすることができ、その結果、上記実装空間が広くなる。一方、上記細くかつ長いアンテナ部材は、上記他のアンテナ部材から突出することになるが、上記他のアンテナ部材よりも細いので、収納時において、上記細くかつ長いアンテナ部材の突出した部分による占有空間は狭く、上記実装空間の増大分が維持される。
【００４６】
従って、収納時における筐体内の占有空間が従来よりも狭くなり、上記実装空間が広くなる。これにより、上記実装空間の増大分に部品を配置することが可能になり、筐体１０内の空間を有効利用することができる。
【００４７】
なお、上記細くかつ長いアンテナ部材は、強度の観点から、伸長側の先端のアンテナ部材であることが好ましい。また、上記他のアンテナ部材は、１個でもよいし、２個以上でもよい。
【００４８】
本発明の態様２に係るロッドアンテナは、上記態様１において、前記細くかつ長いアンテナ部材の収縮側に設けられた前記アンテナ部材を屈曲可能に支持する屈曲部材をさらに備えており、前記細くかつ長いアンテナ部材は、前記屈曲部材を貫通するようになっていることが好ましい。この場合、伸長時にアンテナ部材を屈曲させることができる。
【００４９】
本発明の態様３に係るアンテナ装置（携帯端末１）は、上記態様1または上記態様２のロッドアンテナが筐体に取り付けられた構成である。上記構成のアンテナ装置であれば、上述と同様の作用効果を奏する。なお、部品の実装密度の向上の観点から、携帯型のアンテナ装置に好適である。
【００５０】
本発明の態様４に係るアンテナ装置は、上記態様３において、前記ロッドアンテナの収縮時に、前記アンテナ部材を収縮側に貫通した前記細くかつ長いアンテナ部材を、筐体内の隅部に案内する案内部材（案内板１２）をさらに備えることが好ましい。この場合、収縮時において、上記他のアンテナ部材から収縮側に突出した上記細くかつ長いアンテナ部材は、筐体内の隅部に案内されるので、上記細くかつ長いアンテナ部材による上記筐体内の部品配置の阻害を著しく低減することができる。
【００５１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００５２】
以上のように、本発明は、他のアンテナ部材よりも細くかつ長いアンテナ部材が収納側に突出することにより、収納時における筐体内の占有空間を従来よりも狭くでき、当該筐体内の実装空間を広くできるので、携帯端末だけでなく、受信装置、送信装置、通信装置など、ロッドアンテナを利用しかつ収納する任意のアンテナ装置に適用することができる。
【符号の説明】
【００５３】
１  携帯端末（アンテナ装置）
２・３  ロッドアンテナ
１０  筐体
１１  実装空間
１２  案内板（案内部材）
２０  第１アンテナ部材（細くかつ長いアンテナ部材）
２１  第２アンテナ部材（他のアンテナ部材）
２２  支持部材（他のアンテナ部材）
２３  キャップ
３０  第３アンテナ部材（他のアンテナ部材）
３１  屈曲部材（他のアンテナ部材）
３２  支持部材（他のアンテナ部材）
【図１】
2014187547.tif 000003
【図２】
2014187547.tif 000004
【図３】
2014187547.tif 000005
【図４】
2014187547.tif 000006
【図５】
2014187547.tif 000007
【図６】
2014187547.tif 000008